(57)【要約】【課題】簡単な構成で、簡単に組み付け作業を行うことができる排水栓装置を提供する。【解決手段】栓蓋を上下動させる作動部と、作動部を排水口に設置するアタッチメント部材とを備え、アタッチメント部材は、作動部を保持する筒状の保持部と、保持部から外方に向かって延びる保持部と一体の連結部と、保持部を囲うように設けられる筒状であり、排水口又は配管に取り付けられる連結部と一体の台座部と、を有し、保持部は、筒状の第１本体部と、第１本体部の側方に設けられ、作動部を側方から第１本体部内に挿入可能とする第１開口部と、を有し、台座部は、筒状の第２本体部と、第２本体部の側方に設けられ、作動部を側方から第２本体部内に挿入可能とする第２開口部と、を有し、第２開口部の少なくとも一部は、水平方向において第１開口部の少なくとも一部と同じ方向を向いていることを特徴とする排水栓装置である。【選択図】図２
2018115466.tif 000002
【特許請求の範囲】
【請求項１】
水槽の排水口に設けられ、栓蓋を上下動させて前記排水口を開閉する排水栓装置において、
栓蓋と、
前記栓蓋を上下動させる作動部と、
前記作動部を前記排水口に設置するアタッチメント部材と、
を備え、
前記アタッチメント部材は、
前記作動部を保持する筒状の保持部と、
前記保持部と一体であり、前記保持部から外方に向かって延びる連結部と、
前記連結部と一体であるとともに、前記保持部を囲うように設けられる筒状であり、前記排水口又は前記排水口に接続される配管に取り付けられる台座部と、
を有し、
前記保持部は、
筒状の第１本体部と、
前記第１本体部の側方に設けられ、前記作動部を側方から前記第１本体部内に水平方向に挿入可能とする第１開口部と、
を有し、
前記台座部は、
筒状の第２本体部と、
前記第２本体部の側方に設けられ、前記作動部を側方から前記第２本体部内に水平方向に挿入可能とする第２開口部と、
を有し、
前記第２開口部の少なくとも一部は、水平方向において、前記第１開口部の少なくとも一部と同じ方向を向いていることを特徴とする排水栓装置。
【請求項２】
前記第２開口部の最小横幅は、前記作動部の最大横幅よりも大きいことを特徴とする請求項１記載の排水栓装置。
【請求項３】
前記アタッチメント部材は、複数の前記連結部を有し、
前記複数の連結部の１つは、前記第１本体部の一方の側端部から前記台座部に向かって延び、
前記複数の連結部の別の１つは、前記第１本体部の他方の側端部から前記台座部に向かって延びることを特徴とする請求項１又は２に記載の排水栓装置。
【請求項４】
前記複数の連結部の１つは、前記第２本体部の一方の側端部に向かって延び、
前記複数の連結部の別の１つは、前記第２本体部の他方の側端部に向かって延びることを特徴とする請求項３記載の排水栓装置。
【請求項５】
前記第２本体部の一方の側端部及び前記第２本体部の他方の側端部の少なくとも一方は、前記連結部から前記第２開口部側に突出していることを特徴とする請求項４記載の排水栓装置。
【請求項６】
前記連結部は、前記第１本体部の前記第１開口部と反対側の側方から、前記第１開口部と反対側に向かって前記台座部に延びることを特徴とする請求項１〜５のいずれか１つに記載の排水栓装置。
【請求項７】
前記アタッチメント部材は、複数の前記連結部を有し、
前記第２開口部は、前記複数の連結部の間に設けられ、
前記台座部は、周方向において前記第２本体部を分割するスリット部を、さらに有し、
前記スリット部は、前記第２開口部とは別の前記複数の連結部の間に設けられることを特徴とする請求項１〜６のいずれか１つに記載の排水栓装置。
【請求項８】
水槽の排水口に設けられ、栓蓋を上下動させて前記排水口を開閉する排水栓装置において、
栓蓋と、
前記栓蓋を上下動させる作動部と、
前記作動部を前記排水口に設置するアタッチメント部材と、
を備え、
前記アタッチメント部材は、
前記作動部を保持する筒状の保持部と、
前記保持部と一体であり、前記保持部から外方に向かって延び、前記排水口又は前記排水口に接続される配管に前記保持部を支持する複数の支持部と、
を有し、
前記保持部は、
筒状の本体部と、
前記本体部の側方において前記複数の支持部の間に設けられ、前記作動部を側方から前記本体部内に水平方向に挿入可能とする開口部と、
を有することを特徴とする排水栓装置。
【請求項９】
前記複数の支持部の１つは、前記本体部の一方の側端部から外方に向かって延び、
前記複数の支持部の別の１つは、前記本体部の他方の側端部から外方に向かって延びることを特徴とする請求項８記載の排水栓装置。
【発明の詳細な説明】
【技術分野】
【０００１】
本発明の態様は、一般的に、排水栓装置に関する。
【背景技術】
【０００２】
栓蓋を上下動させることで、浴槽などの水槽の排水口を開閉する排水栓装置が知られている（例えば、特許文献１）。排水栓装置は、栓蓋と、栓蓋を上下動させる作動部と、作動部を排水口に取り付けるためのアタッチメント部材と、を備える。作動部は、ワイヤなどを介して操作部と接続され、操作部の操作に応じて栓蓋を上下動させる。
【０００３】
アタッチメント部材は、保持部と、台座部と、を有する。保持部は、側方に開口部を有する筒状である。作動部は、開口部を介して水平方向から筒状の保持部に差し込むことにより、保持部に保持される。これにより、組み付け時に上下方向（作動部の可動する方向）に負荷が加わり、作動部やワイヤなどが破損してしまうことを抑制することができる。
【０００４】
台座部は、保持部と別体に設けられる。台座部は、排水口の内周形状に対応した円筒状に形成され、排水口内に嵌ることにより、排水口に取り付けられる。排水栓装置の組み付けにおいては、台座部を排水口に取り付けた後、作動部を保持部に取り付け、作動部及び保持部を台座部に取り付ける。これにより、作動部及びアタッチメント部材が、排水口に取り付けられる。
【０００５】
しかしながら、保持部と台座部とが別体に構成されていると、組み付け作業が煩雑になるとともに、排水栓装置の部品点数が増加し、コスト増の要因となってしまう。このため、排水栓装置では、簡単な構成で、かつ簡単に組み付け作業を行えるようにすることが望まれる。
【先行技術文献】
【特許文献】
【０００６】
【特許文献１】特開２０１４−９５０４号公報
【発明の概要】
【発明が解決しようとする課題】
【０００７】
本発明は、かかる課題の認識に基づいてなされたものであり、簡単な構成で、簡単に組み付け作業を行うことができる排水栓装置を提供することを目的とする。
【課題を解決するための手段】
【０００８】
第１の発明は、水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部と、前記保持部と一体であり、前記保持部から外方に向かって延びる連結部と、前記連結部と一体であるとともに、前記保持部を囲うように設けられる筒状であり、前記排水口又は前記排水口に接続される配管に取り付けられる台座部と、を有し、前記保持部は、筒状の第１本体部と、前記第１本体部の側方に設けられ、前記作動部を側方から前記第１本体部内に水平方向に挿入可能とする第１開口部と、を有し、前記台座部は、筒状の第２本体部と、前記第２本体部の側方に設けられ、前記作動部を側方から前記第２本体部内に水平方向に挿入可能とする第２開口部と、を有し、前記第２開口部の少なくとも一部は、水平方向において、前記第１開口部の少なくとも一部と同じ方向を向いていることを特徴とする排水栓装置である。
【０００９】
この排水栓装置によれば、アタッチメント部材の保持部と連結部と台座部とが、それぞれ一体であるため、保持部と台座部とを別体に構成する場合と比べて、構成を簡単にすることができる。これにより、組み付け作業を簡単にすることができるとともに、部品点数を削減し、製造コストを抑えることができる。また、第２開口部の少なくとも一部が、水平方向において第１開口部の少なくとも一部と同じ方向を向いているため、台座部及び保持部に対して作動部を側方の一方向から水平方向に挿入することができる。これにより、保持部と連結部と台座部とを一体にした場合でも、作動部を保持部に容易に取り付けることができる。従って、簡単な構成で、簡単に組み付け作業を行うことができる排水栓装置を提供することができる。
【００１０】
第２の発明は、第１の発明において、前記第２開口部の最小横幅は、前記作動部の最大横幅よりも大きいことを特徴とする排水栓装置である。
【００１１】
この排水栓装置によれば、作動部を台座部に側方から挿入する際に、台座部を押し広げたりする必要がなく、組み付け作業をより簡単にすることができる。
【００１２】
第３の発明は、第１又は第２の発明において、前記アタッチメント部材は、複数の前記連結部を有し、前記複数の連結部の１つは、前記第１本体部の一方の側端部から前記台座部に向かって延び、前記複数の連結部の別の１つは、前記第１本体部の他方の側端部から前記台座部に向かって延びることを特徴とする排水栓装置である。
【００１３】
この排水栓装置によれば、作動部を第２開口部に挿入した後、第１開口部に側方から挿入する際に、作動部を２つの連結部によって第１開口部にガイドすることができる。これにより、作動部の第１開口部に対する位置調整をし易くし、作動部を第１開口部に側方から挿入し易くすることができる。従って、組み付け作業をより簡単にすることができる。
【００１４】
第４の発明は、第３の発明において、前記複数の連結部の１つは、前記第２本体部の一方の側端部に向かって延び、前記複数の連結部の別の１つは、前記第２本体部の他方の側端部に向かって延びることを特徴とする排水栓装置である。
【００１５】
この排水栓装置によれば、作動部を保持部から取り外す際に、２つの連結部の側面を外方に押し広げることで、第１開口部及び第２開口部の幅を広げることができる。これにより、作動部を保持部から取り外し易くすることができ、取り外しの作業も簡単にすることができる。
【００１６】
第５の発明は、第４の発明において、前記第２本体部の一方の側端部及び前記第２本体部の他方の側端部の少なくとも一方は、前記連結部から前記第２開口部側に突出していることを特徴とする排水栓装置である。
【００１７】
この排水栓装置によれば、第２本体部の一方の側端部及び第２本体部の他方の側端部の少なくとも一方の突出した部分に指をかけることにより、第１開口部及び第２開口部の幅を、より広げ易くすることができる。従って、取り外しの作業を、より簡単にすることができる。
【００１８】
第６の発明は、第１〜第５のいずれか１つの発明において、前記連結部は、前記第１本体部の前記第１開口部と反対側の側方から、前記第１開口部と反対側に向かって前記台座部に延びることを特徴とする排水栓装置である。
【００１９】
この排水栓装置によれば、作動部を保持部に側方から挿入する際などに、保持部を第１開口部の反対側に位置する台座部へと近づけるように保持部に力が加えられたとしても、台座部が変形してしまうことを抑制することができる。台座部が変形すると、保持部と台座部との相対的な位置がずれ、所望の位置に栓蓋を配置できなくなり、栓蓋と排水口との水密性が低下してしまう可能性が生じる。この排水栓装置では、連結部が、第１開口部と反対側に向かって台座部に延びるため、上記のような力が保持部及び台座部に作用したとしても、連結部により、保持部と台座部との相対的な位置関係を維持することができる。従って、栓蓋と排水口との間の水密性の低下を抑制することができる。
【００２０】
第７の発明は、第１〜第６のいずれか１つの発明において、前記アタッチメント部材は、複数の前記連結部を有し、前記第２開口部は、前記複数の連結部の間に設けられ、前記台座部は、周方向において前記第２本体部を分割するスリット部を、さらに有し、前記スリット部は、前記第２開口部とは別の前記複数の連結部の間に設けられることを特徴とする排水栓装置である。
【００２１】
この排水栓装置によれば、周方向において第２本体部を分割することにより、第２開口部をより押し広げ易くすることができる。従って、作動部の組み付けや取り外しの作業を、より簡単にすることができる。
【００２２】
第８の発明は、水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部と、前記保持部と一体であり、前記保持部から外方に向かって延び、前記排水口又は前記排水口に接続される配管に前記保持部を支持する複数の支持部と、を有し、前記保持部は、筒状の本体部と、前記本体部の側方において前記複数の支持部の間に設けられ、前記作動部を側方から前記本体部内に水平方向に挿入可能とする開口部と、を有することを特徴とする排水栓装置である。
【００２３】
この排水栓装置によれば、アタッチメント部材の保持部と複数の支持部とが、一体であるため、アタッチメント部材を複数の部材で構成する場合と比べて、構成を簡単にすることができる。これにより、組み付け作業を簡単にすることができるとともに、部品点数を削減し、製造コストを抑えることができる。また、保持部の開口部が、本体部の側方において複数の支持部の間に設けられるため、保持部に対して作動部を側方の一方向から水平方向に挿入することができる。これにより、保持部と複数の支持部とを一体にした場合でも、作動部を保持部に容易に取り付けることができる。従って、簡単な構成で、簡単に組み付け作業を行うことができる排水栓装置を提供することができる。
【００２４】
第９の発明は、第８の発明において、前記複数の支持部の１つは、前記本体部の一方の側端部から外方に向かって延び、前記複数の支持部の別の１つは、前記本体部の他方の側端部から外方に向かって延びることを特徴とする排水栓装置である。
【００２５】
この排水栓装置によれば、作動部を開口部に側方から挿入する際に、作動部を２つの支持部によって開口部にガイドすることができる。これにより、作動部の開口部に対する位置調整をし易くし、作動部を開口部に側方から挿入し易くすることができる。従って、組み付け作業をより簡単にすることができる。
【発明の効果】
【００２６】
本発明の態様によれば、簡単な構成で、簡単に組み付け作業を行うことができる排水栓装置が提供される。
【図面の簡単な説明】
【００２７】
【図１】実施形態に係る排水栓装置を表す断面図である。
【図２】実施形態に係る排水栓部を拡大して表す断面図である。
【図３】実施形態に係る配管及び排水口部材を表す断面図である。
【図４】実施形態に係る配管を表す斜視断面図である。
【図５】図５（ａ）及び図５（ｂ）は、実施形態に係る作動部及びアタッチメント部材を表す斜視図である。
【図６】図６（ａ）及び図６（ｂ）は、実施形態に係る作動部及びアタッチメント部材を表す上面図である。
【図７】図７（ａ）及び図７（ｂ）は、実施形態に係るアタッチメント部材の変形例を表す斜視図及び上面図である。
【図８】図８（ａ）及び図８（ｂ）は、実施形態に係るアタッチメント部材の変形例を表す斜視図及び正面図である。
【図９】図９（ａ）及び図９（ｂ）は、実施形態に係るアタッチメント部材の変形例を表す斜視図である。
【図１０】図１０（ａ）及び図１０（ｂ）は、実施形態に係るアタッチメント部材の変形例を表す斜視図及び上面図である。
【発明を実施するための形態】
【００２８】
以下、実施形態について図面を参照しつつ説明する。なお、各図面中、同様の構成要素には同一の符号を付して詳細な説明は適宜省略する。
【００２９】
図１は、実施形態に係る排水栓装置を表す断面図である。  
図１に表したように、排水栓装置１０は、排水栓部１２と、操作部１４と、レリースワイヤ１６と、を備える。
【００３０】
排水栓部１２は、浴槽１００（水槽）に設けられた排水口部１０２に取り付けられるとともに、排水口部１０２の下方に配置された配管２００に接続される。配管２００は、例えば、洗い場床に設けられた排水トラップなどを介して建築の排水管などに接続される。
【００３１】
排水口部１０２は、例えば、浴槽１００の底部に設けられ、浴槽１００の底部から下方に凹んだ部分である。排水口部１０２は、排水口１０２ａ（開口）を有する。排水口１０２ａは、例えば、排水口部１０２の底部に設けられる。排水口部１０２は、浴槽１００に溜められた水を排水口１０２ａを介して外部に排出可能とする。操作部１４は、浴槽１００のリム面１０４に設けられた貫通孔１０６に取り付けられる。操作部１４は、使用者の操作を受ける。レリースワイヤ１６は、操作部１４の操作にともなう操作力を排水栓部１２に伝達する。
【００３２】
排水栓部１２は、操作部１４及びレリースワイヤ１６を介して入力された操作力に応じて排水口部１０２（排水口１０２ａ）を開閉する。すなわち、排水栓部１２は、使用者による操作部１４の操作に応じて排水口部１０２を開閉する。
【００３３】
排水栓部１２で排水口部１０２を閉塞することにより、浴槽１００内に水を溜めることができる。そして、操作部１４を操作し、排水口部１０２を開放することにより、浴槽１００に溜められた水を浴槽１００の外部に排出することができる。例えば、排水口部１０２を開放することにより、浴槽１００に溜められた水が、排水口部１０２及び配管２００を介して排水管などに排出される。排水栓装置１０は、いわゆる遠隔操作式の排水栓装置である。
【００３４】
操作部１４は、筒状のケース１４ａと、ケース１４ａ内において第１位置と第２位置とに移動する可動部１４ｂと、可動部１４ｂを第１位置又は第２位置に保持するラッチ機構１４ｃと、を有する。第１位置は、例えば、図１に表した位置である。第２位置は、例えば、第１位置よりもケース１４ａ内に押し込められた位置である。
【００３５】
ラッチ機構１４ｃは、可動部１４ｂを第１位置に保持した状態において、使用者の押圧操作により、可動部１４ｂが第１位置から第２位置に移動した際に、可動部１４ｂを第２位置に保持する。そして、ラッチ機構１４ｃは、可動部１４ｂを第２位置に保持した状態において、可動部１４ｂが再び押圧操作された際に、第２位置における可動部１４ｂの保持を解除し、可動部１４ｂを第２位置から第１位置に復帰させ、可動部１４ｂを再び第１位置に保持する。排水栓部１２は、可動部１４ｂが第１位置にある時に、排水口部１０２を閉塞し、可動部１４ｂが第２位置にある時に、排水口部１０２を開放する。
【００３６】
この例において、操作部１４は、使用者の押圧操作を受ける押しボタン方式の操作部である。操作部１４は、これに限ることなく、例えば、回転操作を受ける回転ハンドル方式の操作部やスライド操作を受けるスライドレバー方式の操作部などでもよい。操作部１４は、使用者の任意の操作を受けることができる任意の構成でよい。
【００３７】
レリースワイヤ１６は、排水栓部１２と操作部１４とを接続するホース１８内に挿通されている。レリースワイヤ１６は、例えば、アウターチューブと、アウターチューブに挿通されたインナーワイヤと、を有する（図示は省略）。インナーワイヤの一端は、操作部１４の可動部１４ｂに接続されている。インナーワイヤの他端は、排水栓部１２に接続されている。レリースワイヤ１６は、操作部１４の操作に応じてインナーワイヤを進退させることにより、操作力を排水栓部１２に伝達する。操作部１４から排水栓部１２に操作力を伝達する伝達機構は、レリースワイヤ１６に限ることなく、操作力を伝達可能な任意の機構でよい。
【００３８】
図２は、実施形態に係る排水栓部を拡大して表す断面図である。  
図２に表したように、排水栓部１２は、栓蓋２０と、排水口部材２２と、作動部２４と、アタッチメント部材２６と、を有する。栓蓋２０は、浴槽１００の排水口部１０２に上方（浴槽内側）から取り付けられ、上方から排水口部１０２を塞ぐ。栓蓋２０は、例えば、排水口部１０２の周縁部１０２ｂに接することで、排水口部１０２を塞ぐ。
【００３９】
栓蓋２０は、例えば、パッキン２１を有する。パッキン２１は、栓蓋２０の外縁に環状に設けられる。パッキン２１には、例えば、ゴムなどの弾性材料が用いられる。栓蓋２０は、パッキン２１を排水口部１０２の周縁部１０２ｂに接触させることにより、排水口部１０２を塞ぐ。これにより、排水口部１０２をより確実に塞ぐことができる。栓蓋２０は、排水口部１０２の周縁部１０２ｂに直接的に接してもよいし、パッキン２１などを介して間接的に接してもよい。また、排水口部１０２を塞ぐ位置（接する位置）は、周縁部１０２ｂに限ることなく、例えば、排水口１０２ａの内縁部や排水口部材２２の上端部などでもよい。
【００４０】
排水口部１０２を上方から見た形状は、略円形である。排水口１０２ａは、例えば、略円形の貫通孔状である。栓蓋２０は、排水口部１０２及び排水口１０２ａの形状に対応した断面略円形の栓である。排水口部１０２の断面形状は、円形に限ることなく、例えば楕円形や多角形などの任意の形状でよい。栓蓋２０の形状は、上方から排水口部１０２を閉塞可能な任意の形状でよい。
【００４１】
排水口部材２２は、排水口部１０２の排水口１０２ａ及び配管２００に挿通され、浴槽１００に配管２００を接続する。作動部２４は、栓蓋２０を上下動可能に支持する。アタッチメント部材２６は、作動部２４を排水口１０２ａに設置する。アタッチメント部材２６は、例えば、配管２００内に取り付けられ、作動部２４を保持する。作動部２４は、アタッチメント部材２６を介して排水口１０２ａに取り付けられ、栓蓋２０を上下動させることにより、排水口１０２ａを開閉する。アタッチメント部材２６は、例えば、排水口部１０２に取り付けてもよい。
【００４２】
作動部２４は、ケース２４ａと、支持軸２４ｂと、を有する。ケース２４ａは、筒状である。ケース２４ａは、軸を上下方向に向けた状態で排水口１０２ａ（配管２００）に取り付けられる。支持軸２４ｂは、ケース２４ａ内に挿通され、ケース２４ａの軸方向に沿って移動可能にケース２４ａに保持される。支持軸２４ｂは、ケース２４ａが排水口１０２ａに取り付けられた状態において、上下方向に移動する。
【００４３】
支持軸２４ｂの上端は、ケース２４ａの上端よりも上方に突出する。栓蓋２０は、支持軸２４ｂの上端に取り付けられる。作動部２４は、支持軸２４ｂの上端において栓蓋２０を支持する。このように、支持軸２４ｂは、上端に栓蓋２０が取り付けられ、浴槽１００に対して上下動可能に設けられる。
【００４４】
一方、支持軸２４ｂの下端側は、ケース２４ａ内においてレリースワイヤ１６に接続される。配管２００は、貫通孔２０２を有する。貫通孔２０２は、配管２００において排水栓部１２よりも下方に設けられる。レリースワイヤ１６は、貫通孔２０２を介して配管２００内に挿通され、作動部２４と接続される。また、貫通孔２０２は、例えば、ホース１８などによって塞がれる。これにより、貫通孔２０２からの水漏れが抑制される。
【００４５】
操作部１４の可動部１４ｂが第１位置にある場合、支持軸２４ｂは、図２に表したように、栓蓋２０が排水口部１０２を塞いだ位置に保持される。操作部１４の可動部１４ｂが第１位置から第２位置に移動すると、レリースワイヤ１６のインナーワイヤが、可動部１４ｂの移動量に応じて排水栓部１２側に送り込まれる。従って、可動部１４ｂが第２位置に移動すると、作動部２４の支持軸２４ｂが、図２に表した状態よりもケース２４ａから突出する。これにより、操作部１４の可動部１４ｂが第２位置にある場合には、栓蓋２０が、支持軸２４ｂの移動にともなって上方に移動し、排水口部１０２を開放させる。
【００４６】
このように、作動部２４は、操作部１４の操作に応じて支持軸２４ｂを移動させることにより、栓蓋２０が排水口部１０２を塞ぐ下降状態（図２に表した状態）と、栓蓋２０が排水口部１０２から上方に離間して排水口部１０２を開放する上昇状態と、に支持軸２４ｂを切り替える。換言すれば、操作部１４は、下降状態と上昇状態とに支持軸２４ｂを切り替える。
【００４７】
図３は、実施形態に係る配管及び排水口部材を表す断面図である。  
図４は、実施形態に係る配管を表す斜視断面図である。  
図３及び図４に表したように、配管２００は、浴槽１００と接続された状態において、排水口部１０２から下方に向かって延びる第１管部２１１と、第１管部２１１と直交する方向に延びる第２管部２１２と、を有する。すなわち、この例において、配管２００は、略Ｌ字状に屈曲した管である。配管２００は、Ｌ字状に限ることなく、少なくとも排水口部１０２から下方に向かって延びる部分を有する任意の形状でよい。
【００４８】
第１管部２１１の開口端２１１ａの形状は、排水口１０２ａの形状と実質的に同じである。第１管部２１１及び第２管部２１２は、例えば、断面略円形の管である。第１管部２１１の内周面には、雌ねじ部２１４が設けられている。雌ねじ部２１４は、開口端２１１ａに隣接して設けられる。第１管部２１１において、雌ねじ部２１４の設けられた部分の内周面の断面形状は、略円形である。配管２００の雌ねじ部２１４以外の部分の内周面の断面形状は、必ずしも円形でなくてもよい。配管２００の雌ねじ部２１４以外の部分の内周面の断面形状は、例えば、楕円形状や多角形状などでもよい。
【００４９】
第１管部２１１は、載置部２２０と、第１収納空間２２１と、第２収納空間２２２と、を有する。載置部２２０は、配管２００内に設けられ、配管２００の内方に突出する。載置部２２０には、アタッチメント部材２６の一部が載置される。アタッチメント部材２６は、載置部２２０の上に載置されることにより、配管２００内に取り付けられる。換言すれば、載置部２２０は、配管２００内におけるアタッチメント部材２６の下方への移動を規制する。アタッチメント部材２６は、載置部２２０に直接的に接して載置されてもよいし、他の部材などを介して間接的に接して載置されてもよい。
【００５０】
この例において、載置部２２０は、第１管部２１１の開口端２１１ａよりも内径を小さくした部分である。載置部２２０は、配管２００内において段差状に形成されている。この例において、載置部２２０は、配管２００の内周に沿う環状の面（載置面）である。載置部２２０の形状は、上記に限ることなく、例えば、突起状に形成してもよい。例えば、複数の突起状の載置部を配管２００の軸周りに所定の間隔で設けてもよい。載置部２２０の形状は、アタッチメント部材２６の一部を載置可能な任意の形状でよい。
【００５１】
第１収納空間２２１は、載置部２２０の上方に配置される。第１収納空間２２１は、載置部２２０に隣接する。第１収納空間２２１は、アタッチメント部材２６の一部を収納する。第２収納空間２２２は、第１収納空間２２１の上方に配置される。第２収納空間２２２は、排水口部材２２を収納する。第２収納空間２２２は、第１収納空間２２１に隣接するとともに、第１管部２１１の開口端２１１ａに隣接する。雌ねじ部２１４は、第２収納空間２２２を形成する配管２００の内周面に設けられる。
【００５２】
排水口部材２２は、略円筒状の筒部２２ａと、筒部２２ａの上端に設けられたフランジ部２２ｂと、を有する。フランジ部２２ｂは、筒部２２ａの上端から外方に向かって延びる。筒部２２ａの外径は、排水口１０２ａの開口径及び第１管部２１１の内径と実質的に同じである。一方、フランジ部２２ｂの外径は、排水口１０２ａの開口径及び第１管部２１１の内径よりも大きい。
【００５３】
また、筒部２２ａの外周面には、雄ねじ部２２ｃが設けられている。雄ねじ部２２ｃは、配管２００の雌ねじ部２１４に対応して形成され、雌ねじ部２１４に螺合する（噛み合う）。これにより、排水口部材２２の筒部２２ａが、配管２００の第２収納空間２２２に収納される。
【００５４】
排水口部材２２は、筒部２２ａを上方から排水口１０２ａ及び配管２００に挿通し、配管２００の雌ねじ部２１４に雄ねじ部２２ｃを螺合させ、フランジ部２２ｂと配管２００との間で浴槽１００を挟み込む（図２参照）。これにより、排水口部材２２は、浴槽１００に配管２００を接続する。排水口部材２２は、例えば、締付フランジと呼ばれる場合もある。
【００５５】
図５（ａ）及び図５（ｂ）は、実施形態に係る作動部及びアタッチメント部材を表す斜視図である。  
図６（ａ）及び図６（ｂ）は、実施形態に係る作動部及びアタッチメント部材を表す上面図である。  
図５（ａ）、図５（ｂ）、図６（ａ）、及び図６（ｂ）に表したように、アタッチメント部材２６は、保持部４０と、連結部４２と、台座部４４と、を有する。
【００５６】
保持部４０は、筒状であり、内部の空間に作動部２４を収容することにより、作動部２４を保持する。この例において、保持部４０は、作動部２４を直接的に保持している。保持部４０は、例えば、他の部材などを介して間接的に作動部２４を保持してもよい。
【００５７】
連結部４２は、保持部４０から外方に向かって延びる。連結部４２は、例えば、保持部４０の外側面から外側に向かって放射状に延びる。連結部４２は、保持部４０と一体である。アタッチメント部材２６は、例えば、複数の連結部４２を有する。この例において、アタッチメント部材２６は、連結部４２ａ〜４２ｃの３つの連結部４２を有する。連結部４２の数は、３つに限ることなく、１つ又は２つでもよいし、４つ以上でもよい。
【００５８】
台座部４４は、連結部４２と一体である。台座部４４は、例えば、複数の連結部４２のそれぞれと一体である。台座部４４は、保持部４０を囲うように設けられる筒状である。台座部４４は、配管２００に取り付けられる。これにより、台座部４４は、保持部４０及び保持部４０に保持された作動部２４を、排水口１０２ａに取り付ける。台座部４４は、排水口１０２ａ（排水口部１０２）に取り付けてもよい。すなわち、台座部４４は、排水口１０２ａ又は配管２００に取り付けられる。
【００５９】
台座部４４は、上方から見た状態（上面視）において、保持部４０の一部を囲う。台座部４４は、保持部４０よりも幅（径）の大きい筒状である。台座部４４は、例えば、筒状の保持部４０と略同軸に配置される。これにより、上方から見た状態において、保持部４０の一部を台座部４４で囲うことができる。
【００６０】
この例では、側方から見た状態（側面視）においても、台座部４４が、保持部４０の一部を囲っている。例えば、連結部４２の上下方向の長さを長くすることにより、側方から見た状態において、保持部４０を台座部４４よりも上方に配置してもよい。側方から見た状態においては、台座部４４は、必ずしも保持部４０の一部を囲わなくてもよい。すなわち、台座部４４は、少なくとも上方から見た状態において、保持部４０を囲うように設けられる。
【００６１】
台座部４４は、配管２００内において排水口部材２２よりも下方に取り付けられる（図２参照）。台座部４４は、載置部２２０に載置されることにより、配管２００内に取り付けられる。台座部４４は、載置部２２０の上に載置されることにより、配管２００内におけるアタッチメント部材２６の下方への移動を規制する。また、台座部４４は、排水口部材２２により下方に押付けられることにより、上方への移動を規制する。換言すれば、台座部４４は、配管２００内において載置部２２０と排水口部材２２との間に挟み込まれる。
【００６２】
台座部４４は、規制部４５を有する。台座部４４は、規制部４５を配管２００の第２管部２１２の内面に側方から当接させることにより、配管２００内におけるアタッチメント部材２６の水平方向における回転を規制する（図２参照）。
【００６３】
このように、アタッチメント部材２６は、台座部４４において載置部２２０の上に載置される。配管２００の第１収納空間２２１は、アタッチメント部材２６の台座部４４を収納する。アタッチメント部材２６は、台座部４４を介して配管２００内に取り付けられることにより、作動部２４及び保持部４０を配管２００内の所定の位置に配置する。
【００６４】
保持部４０は、第１本体部５１と、第１開口部５１ａと、を有する。第１本体部５１は、筒状である。第１開口部５１ａは、第１本体部５１の側方に設けられ、作動部２４を側方から第１本体部５１内に水平方向に挿入可能とする。第１本体部５１の内径は、作動部２４の外径と実質的に同じか、僅かに小さい程度に設定される。これにより、第１本体部５１内に挿入された作動部２４は、第１本体部５１内に嵌合する。保持部４０は、例えば、作動部２４と第１本体部５１との嵌合により、作動部２４を保持する。
【００６５】
台座部４４は、第２本体部５２と、第２開口部５２ａと、を有する。第２本体部５２は、筒状である。第２開口部５２ａは、第２本体部５２の側方に設けられ、作動部２４を側方から第２本体部５２内に水平方向に挿入可能とする。
【００６６】
第２開口部５２ａの少なくとも一部は、水平方向において第１開口部５１ａの少なくとも一部と同じ方向を向いている。この例では、第１開口部５１ａの全体が、第２開口部５２ａの一部と同じ方向を向いている。側方から見た状態において、第１開口部５１ａの全体が、第２開口部５２ａを介して露呈される。第２開口部５２ａの最小横幅Ｗ２（開口幅）は、第１開口部５１ａの最小横幅Ｗ１よりも大きく、第２本体部５２は、水平方向において、第１開口部５１ａと重ならない。これにより、第１本体部５１に対して作動部２４を挿抜する際に、第２本体部５２が邪魔になることを抑制することができる。第１本体部５１に対して作動部２４を挿抜し易くすることができる。例えば、第２本体部５２の一部は、作動部２４の挿抜を大きく妨げない範囲で、水平方向において第１開口部５１ａの一部と重なってもよい。第１開口部５１ａは、第２開口部５２ａと異なる方向を向く部分を有してもよい。
【００６７】
第２開口部５２ａの最小横幅Ｗ２は、作動部２４の最大横幅Ｗｓよりも大きい。一方、第１開口部５１ａの最小横幅Ｗ１は、作動部２４の最大横幅Ｗｓよりも小さい。アタッチメント部材２６には、例えば、ポリプロピレンなどの樹脂材料が用いられる。アタッチメント部材２６は、弾性を有する。これにより、保持部４０では、第１開口部５１ａを広げるように一時的に第１本体部５１を変形させることができる。
【００６８】
第１本体部５１の下端には、開口部５１ａを挟んで対向するように配置された一対のリブ５１ｒが設けられている。各リブ５１ｒは、第１本体部５１の内方に向かって突出する。作動部２４のケース２４ａには、溝２４ｃが設けられている。溝２４ｃは、ケース２４ａの下端付近に設けられ、ケース２４ａの側面から内方に向かって凹んだ凹形状に形成されている。溝２４ｃの形状は、各リブ５１ｒの形状に対応している。
【００６９】
作動部２４を保持部４０に保持させる場合には、作動部２４を第２開口部５２ａに側方から挿入した後、第１開口部５１ａに対して水平方向に押し当て、第１本体部５１を弾性変形させることにより、第１開口部５１ａを押し広げる。そして、広がった第１開口部５１ａから第１本体部５１内に作動部２４を側方から挿入する。この際、各リブ５１ｒを溝２４ｃに嵌め込む。これにより、作動部２４が第１本体部５１内に挿入されるとともに、各リブ５１ｒと溝２４ｃとの係合により、作動部２４の上下動が規制される。換言すれば、各リブ５１ｒと溝２４ｃとの係合により、第１本体部５１の軸方向の両端からの作動部２４の抜けが抑制される。これにより、作動部２４が、保持部４０に保持される。
【００７０】
複数の連結部４２の１つである連結部４２ａは、第１本体部５１の一方の側端部５１ｂから台座部４４に向かって延びる。複数の連結部４２の別の１つである連結部４２ｂは、第１本体部５１の他方の側端部５１ｃから台座部４４に向かって延びる。
【００７１】
また、連結部４２ａは、第２本体部５２の一方の側端部５２ｂに向かって延びる。連結部４２ｂは、第２本体部５２の他方の側端部５２ｃに向かって延びる。すなわち、連結部４２ａは、第１本体部５１の側端部５１ｂから第２本体部５２の側端部５２ｂに向かって延びる。連結部４２ｂは、第１本体部５１の側端部５１ｃから第２本体部５２の側端部５２ｃに向かって延びる。
【００７２】
第２本体部５２の一方の側端部５２ｂは、連結部４２ａから第２開口部５２ａ側に突出している。一方、第２本体部５２の他方の側端部５２ｃは、連結部４２ｂの側面と略面一である。換言すれば、側端部５２ｃは、連結部４２ｂよりも第２開口部５２ａ側に突出しない。
【００７３】
上記とは反対に、側端部５２ｂを連結部４２ａの側面と略面一とし、側端部５２ｃを連結部４２ｂから第２開口部５２ａ側に突出させてもよい。あるいは、側端部５２ｂ、５２ｃの双方を連結部４２から第２開口部５２ａ側に突出させてもよい。すなわち、側端部５２ｂ及び側端部５２ｃの少なくとも一方は、連結部４２から第２開口部５２ａ側に突出してもよい。
【００７４】
側端部５２ｂ、５２ｃの突出量は、例えば、１０ｍｍ以下である。連結部４２ａが側端部５２ｂに向かって延びている状態とは、例えば、側端部５２ｂと連結部４２ａとの間の距離が、１０ｍｍ以下の状態である。連結部４２ｂが側端部５２ｃに向かって延びている状態とは、例えば、側端部５２ｃと連結部４２ｂとの間の距離が、１０ｍｍ以下の状態である。
【００７５】
また、連結部４２ｃは、第１本体部５１の第１開口部５１ａと反対側の側方から、第１開口部５１ａと反対側に向かって台座部４４に延びる。
【００７６】
排水栓装置１０の排水栓部１２を浴槽１００及び配管２００に取り付ける際には、まず、配管２００を浴室内の所定の位置に設置する。作動部２４は、予めレリースワイヤ１６の一端に接続しておく。そして、作動部２４及びレリースワイヤ１６の一端を、貫通孔２０２を介して配管２００内に挿通する。作動部２４を挿通した後、支持軸２４ｂを開口端２１１ａから露出させる。
【００７７】
作動部２４を配管２００よりも上方に出した後、第２開口部５２ａから第２本体部５２内に作動部２４を側方から挿入し、第１開口部５１ａから第１本体部５１内に作動部２４を側方から挿入することにより、作動部２４をアタッチメント部材２６の保持部４０に保持させる。
【００７８】
この後、アタッチメント部材２６の台座部４４を配管２００内に挿通する。台座部４４は、載置部２２０に載置されるまで、配管２００内に挿通する。換言すれば、台座部４４は、載置部２２０に当接するまで、配管２００内に挿通する。そして、規制部４５を配管２００の第２管部２１２内に挿し込むことにより、台座部４４を配管２００内に設置する。これにより、作動部２４が、配管２００内に設置される。
【００７９】
作動部２４を配管２００に設置した後、開口端２１１ａと排水口部１０２との位置を合わせて、配管２００の上に浴槽１００を設置する。この場合、作動部２４は、排水口１０２ａを介して上方に露出された状態となる。
【００８０】
浴槽１００を設置した後、排水口部材２２を上方から排水口１０２ａ及び配管２００に挿通する。そして、配管２００の雌ねじ部２１４に排水口部材２２の雄ねじ部２２ｃを螺合させ、フランジ部２２ｂと配管２００との間で浴槽１００を挟み込むことにより、排水口部材２２を介して浴槽１００と配管２００とを接続する。また、台座部４４を排水口部材２２と載置部２２０とで挟み込むことにより、台座部４４が上方向へ移動しないようにする。
【００８１】
この後、作動部２４の支持軸２４ｂの上端に、栓蓋２０を取り付ける。以上により、排水栓装置１０の排水栓部１２の取り付けが完了する。なお、操作部１４は、排水栓部１２の取り付けの前に、予め浴槽１００のリム面１０４に取り付けておいてもよいし、排水栓部１２の取り付けを行った後に、浴槽１００のリム面１０４に取り付けてもよい。
【００８２】
以上、説明したように、本実施形態に係る排水栓装置１０によれば、アタッチメント部材２６の保持部４０と連結部４２と台座部４４とが、それぞれ一体であるため、保持部４０と台座部４４とを別体に構成する場合などと比べて、構成を簡単にすることができる。これにより、組み付け作業を簡単にすることができるとともに、部品点数を削減し、製造コストを抑えることができる。また、第２開口部５２ａの少なくとも一部が、水平方向において、第１開口部５１ａの少なくとも一部と同じ方向を向いているため、台座部４４及び保持部４０に対して作動部２４を側方の一方向から水平方向に挿入することができる。これにより、保持部４０と連結部４２と台座部４４とを一体にした場合でも、作動部２４を保持部４０に容易に取り付けることができる。従って、簡単な構成で、簡単に組み付け作業を行うことができる排水栓装置１０を提供することができる。
【００８３】
また、排水栓装置１０では、第２開口部５２ａの最小横幅Ｗ２が、作動部２４の最大横幅Ｗｓよりも大きい。これにより、作動部２４を台座部４４に側方から挿入する際に、台座部４４を押し広げたりする必要がなく、組み付け作業をより簡単にすることができる。
【００８４】
また、排水栓装置１０では、連結部４２ａが、第１本体部５１の一方の側端部５１ｂから台座部４４に向かって延び、連結部４２ｂが、第１本体部５１の他方の側端部５１ｃから台座部４４に向かって延びる。これにより、作動部２４を第２開口部５２ａに挿入した後、第１開口部５１ａに側方から挿入する際に、作動部２４を２つの連結部４２ａ、４２ｂによって第１開口部５１ａにガイドすることができる。これにより、作動部２４の第１開口部５１ａに対する位置調整をし易くし、作動部２４を第１開口部５１ａに挿入し易くすることができる。従って、組み付け作業をより簡単にすることができる。
【００８５】
また、排水栓装置１０では、連結部４２ａが、第２本体部５２の一方の側端部５２ｂに向かって延び、連結部４２ｂが、第２本体部５２の他方の側端部５２ｃに向かって延びる。これにより、作動部２４を保持部４０から取り外す際に、２つの連結部４２ａ、４２ｂの側面を外方に押し広げることで、第１開口部５１ａ及び第２開口部５２ａの幅を広げることができる。これにより、作動部２４を保持部４０から取り外し易くすることができ、取り外しの作業も簡単にすることができる。
【００８６】
また、排水栓装置１０では、第２本体部５２の一方の側端部５２ｂが、連結部４２ａから第２開口部５２ａ側に突出している。これにより、側端部５２ｂの突出した部分に指をかけることにより、第１開口部５１ａ及び第２開口部５２ａの幅を、より広げ易くすることができる。従って、作動部２４の取り外しの作業を、より簡単にすることができる。
【００８７】
また、排水栓装置１０では、連結部４２ｃが、第１本体部５１の第１開口部５１ａと反対側の側方から、第１開口部５１ａと反対側に向かって台座部４４に延びる。これにより、作動部２４を保持部４０に側方から挿入する際などに、保持部４０を第１開口部５１ａの反対側に位置する台座部４４へと近づけるように保持部４０に力が加えられたとしても、台座部４４が変形してしまうことを抑制することができる。台座部４４が変形すると、保持部４０と台座部４４との相対的な位置がずれ、所望の位置に栓蓋２０を配置できなくなり、栓蓋２０と排水口１０２ａとの水密性が低下してしまう可能性が生じる。この排水栓装置１０では、連結部４２ｃが、第１開口部５１ａと反対側に向かって台座部４４に延びるため、上記のような力が保持部４０及び台座部４４に作用したとしても、連結部４２ｃにより、保持部４０と台座部４４との相対的な位置関係を維持することができる。従って、栓蓋２０と排水口１０２ａとの間の水密性の低下を抑制することができる。
【００８８】
図７（ａ）及び図７（ｂ）は、実施形態に係るアタッチメント部材の変形例を表す斜視図及び上面図である。  
図７（ａ）及び図７（ｂ）に表したように、アタッチメント部材２６ａの台座部４４は、スリット部５４を、さらに有する。なお、上記実施形態と、機能・構成上実質的に同じものについては、同符号を付し、詳細な説明は省略する。
【００８９】
スリット部５４は、周方向において第２本体部５２を分割する。台座部４４は、例えば、複数のスリット部５４を有する。この例において、台座部４４は、スリット部５４ａ、５４ｂの２つのスリット部５４を有する。第２開口部５２ａは、複数の連結部４２ａ、４２ｂの間に設けられる。スリット部５４ａは、第２開口部５２ａとは別の複数の連結部４２ａ、４２ｃの間に設けられる。同様に、スリット部５４ｂは、第２開口部５２ａとは別の複数の連結部４２ｂ、４２ｃの間に設けられる。
【００９０】
このように、この例では、２つのスリット部５４ａ、５４ｂにより、台座部４４を周方向において３つの部分に分割する。スリット部５４の数は、２つに限ることなく、１つでもよい。例えば、連結部４２の数が、４つ以上である場合には、３つ以上のスリット部５４を設けてもよい。スリット部５４は、隣り合う２つの連結部４２の間に１つ設けられる。また、前述のように、第２開口部５２ａは、２つの連結部４２の間に設けられる。従って、連結部４２の数をＭ個とする時、スリット部５４の最大数は、Ｍ−１個である。
【００９１】
アタッチメント部材２６ａでは、スリット部５４によって第２本体部５２を周方向に分割することにより、第１開口部５１ａ及び第２開口部５２ａをより押し広げ易くすることができる。従って、作動部２４の組み付けや取り外しの作業を、より簡単にすることができる。
【００９２】
図８（ａ）及び図８（ｂ）は、実施形態に係るアタッチメント部材の変形例を表す斜視図及び正面図である。  
図８（ａ）及び図８（ｂ）に表したように、アタッチメント部材２６ｂでは、第１開口部５１ａが、第１本体部５１の下端から上端まで連続し、第１領域Ｒ１と、第２領域Ｒ２と、を有する。第１領域Ｒ１は、作動部２４を側方から第１本体部５１内に水平方向に挿入可能とする部分である。第２領域Ｒ２は、第１領域Ｒ１の上に位置する。第２領域Ｒ２の横幅ＷＡ２は、第１領域Ｒ１の横幅ＷＡ１よりも狭い。これにより、第２領域Ｒ２は、第１本体部５１の上部において、第１本体部５１内に挿入された作動部２４の第１本体部５１からの抜けを抑制する。
【００９３】
例えば、排水栓部１２や排水口部１０２の清掃などのために、排水栓装置１０を浴槽１００及び配管２００に取り付けた後、栓蓋２０を取り外す場合がある。栓蓋２０は、排水口部１０２から上昇させた状態で上方に引っ張り、作動部２４の支持軸２４ｂから引き抜くことで、作動部２４から取り外される。この際、取り外しの操作に不慣れな使用者などにおいては、栓蓋２０及び支持軸２４ｂに対して水平方向にも力を加えてしまう場合がある。
【００９４】
このため、例えば、上記実施形態のアタッチメント部材２６のように、第１開口部５１ａの横幅が、下端から上端まで実質的に一定の幅である場合には、栓蓋２０の取り外しの際に、作動部２４が第１本体部５１から抜ける方向に力が加わり、作動部２４の上部が第１本体部５１から抜けてしまう可能性がある。
【００９５】
排水栓装置１０を浴槽１００及び配管２００に取り付けた後の状態では、作動部２４を再び第１本体部５１内に挿入する操作が難しく、使用者などに余計な手間をかけさせてしまう。また、例えば、作動部２４の上部が第１本体部５１から抜けた状態で無理に栓蓋２０を取り付けると、所望の位置に栓蓋２０を配置できなくなり、栓蓋２０と排水口１０２ａとの水密性が低下してしまう可能性が生じる。
【００９６】
これに対して、アタッチメント部材２６ｂでは、第１開口部５１ａが、第１領域Ｒ１と第２領域Ｒ２とを有し、第１領域Ｒ１の上に位置する第２領域Ｒ２の横幅ＷＡ２が、第１領域Ｒ１の横幅ＷＡ１よりも狭くなり、第１本体部５１内に挿入された作動部２４の第１本体部５１からの抜けを抑制している。
【００９７】
これにより、アタッチメント部材２６ｂでは、例えば栓蓋２０の取り外しの際など、排水栓装置１０を浴槽１００及び配管２００に取り付けた後に、作動部２４が第１本体部５１から抜ける方向に力が加わったとしても、作動部２４の上部が第１本体部５１から抜けてしまうことを抑制することができる。例えば、作動部２４を再び第１本体部５１内に挿入する手間が生じることを抑制し、排水栓装置１０の使い勝手を向上させることができる。
【００９８】
図９（ａ）及び図９（ｂ）は、実施形態に係るアタッチメント部材の変形例を表す斜視図である。  
図９（ａ）及び図９（ｂ）に表したように、アタッチメント部材２６ｃでは、第１開口部５１ａの上端が、第１本体部５１の上端よりも下方に位置する。すなわち、アタッチメント部材２６ｃでは、第１開口部５１ａが、第１本体部５１の上端まで延びていない。第１本体部５１は、第１開口部５１ａの上方において第１本体部５１の第１開口部５１ａの両側の部分と連続する連続部５１ｄを有する。連続部５１ｄは、第１本体部５１内に挿入された作動部２４の第１本体部５１からの抜けを抑制する。
【００９９】
これにより、アタッチメント部材２６ｃにおいても、上記のアタッチメント部材２６ｂと同様に、排水栓装置１０を浴槽１００及び配管２００に取り付けた後に、作動部２４が第１本体部５１から抜ける方向に力が加わったとしても、作動部２４の上部が第１本体部５１から抜けてしまうことを抑制することができる。排水栓装置１０の使い勝手を向上させることができる。
【０１００】
また、第１本体部５１は、凹部５１ｅをさらに有する。凹部５１ｅは、周方向において第１開口部５１ａと別の位置に設けられる。凹部５１ｅは、例えば、第１開口部５１ａと反対側に設けられる。凹部５１ｅは、第１本体部５１の上端から下方に向かって凹む。凹部５１ｅは、例えば、作動部２４のケース２４ａの上端近傍まで延びる。凹部５１ｅの下端が、ケース２４ａの上端よりも上に位置する場合、凹部５１ｅの下端とケース２４ａの上端との間の距離は、例えば、２ｍｍ以下である。凹部５１ｅの下端は、例えば、ケース２４ａの上端と同じ高さ、あるいはケース２４ａの上端よりも下方まで延びることが好ましい。
【０１０１】
これにより、連続部５１ｄを設けた場合にも、作動部２４の上部（作動部２４と第１本体部５１とで囲まれた空間）に水が溜まることを抑制することができる。例えば、作動部２４の上部において汚れなどが発生し易くなることを抑制することができる。
【０１０２】
図１０（ａ）及び図１０（ｂ）は、実施形態に係るアタッチメント部材の変形例を表す斜視図及び上面図である。  
図１０（ａ）及び図１０（ｂ）に表したように、アタッチメント部材２６ｄは、保持部４０と、複数の支持部４６と、を有する。複数の支持部４６は、保持部４０と一体であり、保持部４０から外方に向かって延び、排水口１０２ａ又は配管２００に保持部４０を支持する。
【０１０３】
この例において、アタッチメント部材２６ｄは、３つの支持部４６ａ〜４６ｃを有する。複数の支持部４６の１つである支持部４６ａは、第１本体部５１の一方の側端部５１ｂから外方に向かって延びる。複数の支持部４６の別の１つである支持部４６ｂは、第１本体部５１の他方の側端部５１ｃから外方に向かって延びる。これにより、作動部２４を第１開口部５１ａに側方から挿入する際に、作動部２４を２つの支持部４６ａ、４６ｂによって第１開口部５１ａにガイドすることができる。これにより、作動部２４の第１開口部５１ａに対する位置調整をし易くし、作動部２４を第１開口部５１ａに側方から挿入し易くすることができる。従って、組み付け作業をより簡単にすることができる。
【０１０４】
また、支持部４６ｃは、第１本体部５１の第１開口部５１ａと反対側の側方から、第１開口部５１ａと反対側に向かって外方に延びる。以下、複数の支持部４６の構成は、上記各実施形態の複数の連結部４２の構成と実質的に同じであるから詳細な説明は省略する。
【０１０５】
このように、台座部４４を設けることなく、複数の支持部４６によって排水口１０２ａ又は配管２００に保持部４０を取り付けるようにしてもよい。このアタッチメント部材２６ｄにおいても、上記各実施形態と同様に、簡単な構成で、簡単に組み付け作業を行うことができる排水栓装置１０を提供することができる。
【０１０６】
支持部４６の保持部４０と反対側の端部には、周方向に延びる突出部４８が設けられている。これにより、例えば、排水口１０２ａ又は配管２００の内周面との接触面積を大きくし、アタッチメント部材２６ｄをより安定的に排水口１０２ａ又は配管２００に取り付けることができる。
【０１０７】
アタッチメント部材２６ｄでは、例えば、各支持部４６の突出部４８を載置部２２０の上に載置することにより、配管２００内における下方への移動が規制される。また、アタッチメント部材２６ｄでは、各突出部４８が、排水口部材２２により下方に押付けられることにより、上方への移動が規制される。各突出部４８は、例えば、配管２００内において、第１収納空間２２１内に収納され、載置部２２０と排水口部材２２との間に挟み込まれる。突出部４８の構成は、換言すれば、台座部４４のスリット部５４で分割された部分の周方向の長さを短くした構成である。
【０１０８】
上記各実施形態では、排水栓装置１０が取り付けられる水槽として、浴槽１００を示している。水槽は、浴槽１００に限ることなく、例えば、洗面化粧台の洗面器（洗面ボウル）などでもよい。排水栓装置１０を取り付ける水槽は、内部に溜めた水を排水口から排出可能な任意の水槽でよい。
【０１０９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水栓装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
１０ 排水栓装置、  １２ 排水栓部、  １４ 操作部、  １６ レリースワイヤ、  １８ ホース、  ２０ 栓蓋、  ２１ パッキン、  ２２ 排水口部材、  ２４ 作動部、  ２４ａ ケース、  ２４ｂ 支持軸、  ２６、２６ａ、２６ｂ、２６ｃ、２６ｄ アタッチメント部材、  ４０ 保持部、  ４２ 連結部、  ４４ 台座部、  ４５ 規制部、  ４６ 支持部、  ４８ 突出部、  ５１ 第１本体部、  ５１ａ 第１開口部、  ５２ 第２本体部、  ５２ａ 第２開口部、  ５４ スリット部、  １００ 浴槽、  １０２ 排水口部、  １０２ａ 排水口、  １０４ リム面、  １０６ 貫通孔、  ２００ 配管、  ２０２ 貫通孔、  ２１１ 第１管部、  ２１２ 第２管部、  ２１４ 雌ねじ部、  ２２０ 載置部、  ２２１ 第１収納空間、  ２２２ 第２収納空間
【図１】
2018115466.tif 000003
【図２】
2018115466.tif 000004
【図３】
2018115466.tif 000005
【図４】
2018115466.tif 000006
【図５】
2018115466.tif 000007
【図６】
2018115466.tif 000008
【図７】
2018115466.tif 000009
【図８】
2018115466.tif 000010
【図９】
2018115466.tif 000011
【図１０】
2018115466.tif 000012